(57)【要約】前面部、後面部、これらの間に位置する上面部、および一対の端面部を有する車止め本体を具備した車両止め広告装置である。車止め本体は、駐車場の駐車面に配置可能な略水平の底面部を有している。連結手段を用いて車止め本体を駐車面に固定する。車止め本体カバーは前面部、後面部、およびこれらの間に位置する上面部を有している。カバーは、底縁部が駐車面に隣接可能な略水平状の底面開口部を有するとともに、車止め本体を密接に被覆可能可能な形状および寸法に形成されている。広告シートは、カバーの一つの面部に対して配置される内表面を有するとともに、広告標識部が設けられた外表面を有している。別の連結手段を用いてカバーを車止め本体に固定する。
2006505727.tif 000002
【特許請求の範囲】
【請求項１】
駐車場において車両を適切に位置決めするとともに広告を提供する車両止め広告装置であって、
垂直状の前面部および後面部、水平状の上面部、これらの間に位置する一対の傾斜した中間面部、前記前面部と後面部とに形成された複数の開孔を離間して設けられた略水平状の底面部、および一対の端面部を有するとともに、それぞれの内部に固定用の棒体が地中まで挿通された固定孔が前記上面部から底面部にかけて互いに離間して二本以上設けられた車止め本体と、
垂直状の前面部および後面部、水平状の上面部、これらの間に位置する一対の傾斜した中間面部、一対の端面部、および略水平状の底面部を有し、前記前面部および後面部には前記車止め本体の前記開孔と対応する位置に複数の結合孔が貫通して形成され、前記中間面部には傾斜した中間面の大部分に亘って浅い凹部が設けられ、車止め本体を密接に被覆可能な形状および寸法に形成され前記車止め本体を覆う車止め本体カバーと、
長手方向の中間部と頭部が設けられた長手方向の端部とを有し、前記車止めカバーの前記結合孔に挿通されて前記車止め本体の前記開孔内に固定されることによってこの車止めカバーを車止め本体に結合する複数の固定具と、
剥離可能な帯状部材にて覆われた接着剤が設けられた内面と上側に標識部が設けられた外表面とを有し、前記剥離可能な帯状部材が剥離除去されて前記カバーの少なくとも一方の傾斜した中間面部の前記浅い凹部内に接着されることによって、前記カバーが装着された前記車止め本体が駐車場内に車両を確実に位置決めするとともに前記標識部が車両の乗員に対する広告を提供する第１の標識シートと
を具備したことを特徴とする車両止め広告装置。
【請求項２】
前面部、後面部、これらの間に位置する上面部、一対の端面部、および駐車面に配置可能な略水平状の底面部を有する車両駐車用の車止め本体と、
この車止め本体の上面近傍から車止め本体の内部を貫通してこの車止め本体を適切に固定するのに十分な深さまで地中に達し得る長さを有する棒体を有し、前記車止め本体を駐車面に固定する連結手段と、
前面部、後面部、これらの間に位置する上面部、および底縁部が駐車面に隣接可能な略水平状の底面開口部を有し、前記前面部および後面部には複数の結合孔が前記車止め本体の前記開孔と対応する位置に貫通して形成され、前記中間面部には傾斜した中間面の大部分に亘って浅い凹部が設けられ、車止め本体を密接に被覆可能であるとともに着脱可能な形状および寸法に形成された車止め本体カバーと、
このカバーの少なくとも一つの表面に対して配置可能な内面と上側に広告標識部が設けられた外表面とを有する広告シートと、
前記カバーを前記車止め本体に結合する結合手段と
を具備したことを特徴とする車両止め広告装置。
【請求項３】
前記カバーを前記車止め本体に結合する結合手段は、ストラップで
これら各ストラップは、その一端側が前記車止め本体カバーの前面部に固定されてこの車止め本体カバーの下側に挿通され、
ストラップの他端側は、車止め本体カバーの後面部に固定される
ことを特徴とする請求項２記載の車両止め広告装置。
【請求項４】
前記カバーを前記車止め本体に結合する結合手段は、それぞれが前記車止め本体カバーの結合孔に挿通されて前記車止め本体の開孔内に固定された複数の固定具を含む
ことを特徴とする請求項２記載の車両止め広告装置。
【請求項５】
前記カバーの少なくとも一つの表面に設けられた凹部に広告が接合されている
ことを特徴とする請求項２記載の車両止め広告装置。
【請求項６】
駐車場において車両を適切に位置決めするとともに広告を提供する車両止め広告装置であって、
垂直状の前面部および後面部、水平状の上面部、これらの間に位置する一対の傾斜した中間面部、および前記前面部から後面部にかけて形成された複数の凹部と一対の端面部とが設けられた略水平状の底面部を有するとともに、それぞれの内部に固定用の棒体が地中まで挿通された固定孔が前記上面部から、地面から離間された底面部にかけて二本以上設けられ、高さ約５インチ、幅約７・１／４インチ、長さ約６０インチの寸法に形成されたコンクリート製の車止め本体と、
垂直状の前面部および後面部、水平状の上面部、これらの間に位置する一対の傾斜した中間面部、一対の端面部、および略水平状の底面部を有し、前記前面部および後面部には前記車止め本体の前記凹部と対応する位置に複数の結合用スロットが貫通して形成され、車止め本体を密接に被覆可能な形状および寸法に形成されているとともに前記車止め本体を覆って配置された車止め本体カバーと、
それぞれが前記各凹部内に配置された長手方向の中間部と対応するスロットに挿通された長手方向の端部とを有し、各長手方向の端部は下面が歯状に形成され、各長手方向の端部は、これら長手方向の両端部を係合して対応するスロットに当接することによってカバーを車止め本体に支持させる係合支持部を備えた複数のストラップと、
剥離可能な帯状部材にて覆われた接着剤が設けられた内面と上側に広告標識部が設けられた外表面を有し、前記剥離可能な帯状部材が剥離除去されて前記カバーの少なくとも一方の傾斜した中間面部に接着されることによって、前記カバーが装着された前記車止め本体が駐車場内に車両を確実に位置決めするとともに前記標識部が車両の乗員に対する広告を提供する広告シートと
を具備したことを特徴とする車両止め広告装置。
【請求項７】
垂直状の前面部および後面部、水平状の上面部、これらの間に位置する一対の傾斜した中間面部、および前記前面部から後面部にかけて形成された複数の凹部と一対の端面部とが設けられた略水平状の底面部を有するとともに、それぞれの内部に固定用の棒体が地中まで挿通された固定孔が前記上面部から、地面から離間された底面部にかけて二本以上設けられたコンクリート製の車止め本体と、
垂直状の前面部および後面部、水平状の上面部、これらの間に位置する一対の傾斜した中間面部、一対の端面部、および略水平状の底面開口部とを有し、前記車止め本体を密接に被覆可能な形状および寸法に形成された車止め本体カバーと、
それぞれが前記各凹部内に配置された長手方向の中間部と前記カバーに設けられた対応するスロットに挿通された長手方向の端部とを有し、各長手方向の端部は下面が歯状に形成され、各長手方向の端部は、これら長手方向の両端部を係合して対応するスロットに当接することによってカバーを車止め本体に支持させる係合支持部を備えた複数のストラップと、
前記カバーの傾斜した中間面部に対向して配置された内面と上側に広告標識部が設けられた外表面とを有する広告シートと
を具備したことを特徴とする車両止め広告装置。
【請求項８】
前記車止め本体は、高さ約４インチ、幅約６インチ、長さ約８４インチである
ことを特徴とする請求項１記載の車両止め広告装置。
【請求項９】
前記車止め本体は、剛性を有する高分子材料にて形成された
ことを特徴とする請求項１記載の車両止め広告装置。
【請求項１０】
前記車止め本体カバーは、高分子材料にて形成された
ことを特徴とする請求項１記載の車両止め広告装置。
【請求項１１】
前記車止め本体カバーは、少なくとも外表面がアクリル塗装されている
ことを特徴とする請求項１記載の車両止め広告装置。
【請求項１２】
前記固定具は、高分子材料にて形成された
ことを特徴とする請求項１記載の車両止め広告装置。
【請求項１３】
前記第１の標識シートは、柔軟性を有する高分子材料にて形成された
ことを特徴とする請求項１記載の車両止め広告装置。
【請求項１４】
少なくとも一つの端面部に凹部が形成された
ことを特徴とする請求項１記載の車両止め広告装置。
【請求項１５】
剥離可能な帯状部材にて覆われた接着剤が設けられた内面と上側に標識部が設けられた外表面とを有し、前記剥離可能な帯状部材が剥離除去されて前記車止め本体カバーの前記少なくとも一つの端面部の前記凹部内に接着される第２の標識シートを具備した
ことを特徴とする請求項１４記載の車両止め広告装置。
【請求項１６】
前記第２の標識シートは、柔軟性を有する高分子材料にて形成された
ことを特徴とする請求項１５記載の車両止め広告装置。
【請求項１７】
前記車止め本体カバーは、高分子材料にて形成された
ことを特徴とする請求項６記載の車両止め広告装置。
【請求項１８】
前記車止め本体カバーは、少なくとも外表面がアクリル塗装されている
ことを特徴とする請求項６記載の車両止め広告装置。
【請求項１９】
各ストラップは、高分子材料にて形成された
ことを特徴とする請求項６記載の車両止め広告装置。
【請求項２０】
前記広告シートは、高分子材料にて形成された
ことを特徴とする請求項６記載の車両止め広告装置。
【発明の詳細な説明】
【技術分野】
【０００１】
本発明は、車両止め広告装置に関し、特に駐車場において車両を適切に位置決めするとともに広告を提供する装置に関する。
【背景技術】
【０００２】
従来の技術において、既知の構成による車両止め広告装置の使用はすでに知られている。すなわち、従来の方法や装置を用いて広告用に考案されて使用された既知のデザインや構成による車両止め広告装置は、多用な目的や要求を満たすために開発された幾多の従来技術による膨大な数のデザイン以外のものも、その構成は基本的によく知られており、容易に考案できるとともに自明であることが知られている。
【発明の開示】
【発明が解決しようとする課題】
【０００３】
この点において、本発明による車両止め広告装置は、従来の技術の考案やデザインと大きく異なり、これにより駐車場において車両を適切に位置決めするとともに広告を提供することを主たる目的として開発された装置を提供するものである。
【０００４】
したがって、駐車場において車両を適切に位置決めするとともに広告を提供するために使用できる新規かつ改良した車両止め広告装置に対する需要が常に存在することは明らかであり、本発明はこの需要を実質的に満たすものである。
【課題を解決するための手段】
【０００５】
前記周知の種類の車両用車止めおよび周知のデザインや構成による広告に付随する従来の技術に提示された前述の問題点に鑑み、本発明は改良した車両止め広告装置を提供するものである。したがって、本発明の主な目的は、従来の技術の利点をすべて備えるとともにこの従来の技術の問題点を解決した新規かつ改良した車両止め広告装置を提供することにある。この新規かつ改良した車両止め広告装置は下記に詳細に述べる。
【０００６】
上記目的を達成するために、本発明は、垂直状の前面部、垂直状の後面部、水平状の上面部、およびこれらの間に位置する一対の傾斜した中間面部を有する車止め本体を具備している。また、この車止め本体は、略水平状の底面部を有するとともに、複数の円筒状の開孔が前記前面部と後面部とに形成されている。さらに、この車止め本体は、一対の端面部を有している。そして、この車止め本体は、剛性を有するプラスチックで形成されており、上面部位置に開口された３本の固定孔が前記上面部から底面部にかけて上下方向に貫通して形成されている。固定用の円筒状の棒体３本が地中まで達するとともに前記上面部と同一面状になるように前記固定孔に挿通されている。そして、この車止め本体は、高さ約７．２５インチ、最大幅約７．２５インチ、長さ約６０インチの寸法に形成されている。さらに、この車止め本体の底面部には、重量低減用凹部が形成されている。また、車止め広告装置は、塩化ビニルで押出し成形されており、前記本体を覆うように配置された薄肉状の車止め本体カバーを具備している。このカバーには、垂直状の前面部と、垂直状の後面部と、水平状の上面部と、これらの間に位置する傾斜した一対の中間面部とが設けられている。さらに、カバーには、一対の端面部と略水平状の底面開口部とが設けられている。前記前面部および後面部には、これらを貫通する複数の結合用スロットが、車止め本体の前記円筒状の凹部と対応する位置にそれぞれ形成されている。また、前記各中間面部には、直線で構成された浅い凹部が中間面の大部分に亘って形成されている。さらに、前記各端面部には、正方形状の凹部が形成されている。そして、カバーは、車止め本体を密接に被覆可能な形状および寸法に形成されているとともに、カバーの肉厚は、前記各面部すべてにおいて約０．１２５インチに形成されている。カバー表面は、外表面および内表面ともに全面に薄くアクリル塗装が施されている。また、本発明の装置は、複数のプラスチック製のねじを具備している。各ねじは、長手方向の中間部と長手方向の端部とを有している。長手方向の中間部には、歯状面が形成されているとともに、長手方向の端部には、頭部が設けられており、これらのねじが前記薄肉状のカバーのスロットに挿通されて車止め本体の前記開孔内に固定されることによって、この薄肉状のカバーが車止め本体に結合される。さらに、車止め装置は、柔軟なプラスチック素材で、直線で構成された形状に形成された薄い第１の標識シートを具備している。このシートは、剥離可能な帯状部材にて覆われた接着剤が設けられた内面を有している。また、このシートは、外表面を有し、この外表面上側に標識部が設けられている。そして、この第１の標識シートの寸法は、長さ約５８インチ、高さ約３インチである。さらに、この第１の標識シートは、前記剥離可能な帯状部材を剥離除去した後にカバーの少なくとも一方の傾斜した中間面部の前記浅い凹部内に接着可能に構成されており、これにより、カバーが装着された車止め本体が駐車場において車両を適切に位置決めする車両用障壁を構成するとともに、カバー上側の標識部が車両の乗員等向けの広告となる。さらに、車止め装置は、柔軟なプラスチック素材で正方形状に形成された薄い第２の標識シートを具備している。このシートは、剥離可能な帯状部材にて覆われた接着剤が設けられた内面を有している。また、この第２の標識シートは、外表面を有し、この外表面の上側に標識部が設けられている。そして、このシートの寸法は、長さ約２インチ、高さ約２インチである。さらに、この第２の標識シートは、前記剥離可能な帯状部材を剥離除去した後にカバーの少なくとも一方の端面部の前記浅い凹部内に接着可能に構成されている。
【０００７】
以上、後段に詳述する本発明の内容および効果のよりよい理解のために本発明の主要な特徴を概説したが、上記以外にも本発明には、下記に述べ、また付記した請求の範囲の要件を構成する特徴もあることは言うまでもない。
【０００８】
したがって、以下に本発明の実施の形態を少なくとも一つ詳述するが、本発明の適用範囲は、下記に記述または添付図面に図示された構成に限定されるものではないことを理解されたい。本発明は、他の形態でも実施可能であり、様々な態様で実施および活用できる。さらに、ここに使用された言い回しや用語は説明のためのものであり、本発明を限定するものではない。
【０００９】
そして、当業者なら、本発明の目的のうちのいくつかを達成するために本開示の基本となる考え方を用いて別の構成や方法、装置を容易に考え得る。したがって、本発明の請求の範囲には、本発明の精神や範囲から逸脱しない限りにおいて、これら他の同様な構成も含むものである。
【００１０】
したがって、本発明の目的は、従来の技術の利点をすべて備えるとともにこの従来の技術の問題点を解決した新規かつ改良した車両止め広告装置を提供することにある。
【００１１】
本発明の別の目的は、容易かつ効率良く製造および販売できる新規かつ改良した車両止め広告装置を提供することである。
【００１２】
本発明のさらに別の目的は、耐久性および信頼性に優れた構造を有する新規かつ改良した車両止め広告装置を提供することである。
【００１３】
本発明のさらに別の目的は、素材および作業において製造コストを低減し、結果として低価格で市販できることにより、一般消費者が廉価に入手可能な新規かつ改良した車両止め広告装置を提供することである。
【００１４】
本発明のさらに別の目的は、駐車場において車両を確実に適切な位置に位置決めするとともに広告を提供できる新規かつ改良した車両止め広告装置を提供することである。
【００１５】
本発明の目的は、前面部、後面部、これらの間に位置する上面部、および一対の端面部を有する車両駐車用の車止め本体を具備した新規かつ改良した車両止め広告装置を提供することである。この車止め本体は、駐車面に配置可能な略水平の底面部を有している。連結手段を用いてこの車両駐車用の車止め本体を駐車面に固定する。薄肉状の車止め本体カバーは前面部、後面部、およびこれらの間に位置する上面部を有する。また、このカバーは、底縁部を駐車面に隣接可能な略水平状の底面開口部を有するとともに、車止め本体を密接に被覆可能可能な形状および寸法に形成されている。広告シートは、カバーの面部のうち一つの面部上に配置された内表面を有するとともに、広告標識部が設けられた外表面を有している。上記とは別の連結手段にてカバーを車止め本体に固定する。
【００１６】
本発明の上記およびその他の目的、並びに新規性を有する本発明の特徴を、本開示に付随するとともにその一部を構成する請求の範囲の各項で述べる。本発明の内容と、その使用により得られる利点および達成される目的とのよりよい理解には、本発明の望ましい実施の態様を図示あるいは詳述した添付図面および下記の説明を参照されたい。
【発明を実施するための最良の形態】
【００１７】
以下、図面、特に図１を参照して本発明の原理および意図を実施する新規かつ改良した車両止め広告装置の望ましい実施の形態の一例を説明する。図面において、この車両止め広告装置は、全体として10で表されている。
【００１８】
本発明の車両止め広告装置10は、主として車止め本体、薄肉状の車止め本体カバー、広告シートなどの複数の構成要素で構成されている。これら構成要素は、それぞれ別体に形成されているとともに、所望の目的を達成するように相互に関連付けられて構成されている。
【００１９】
まず、車止め本体14が設けられている。この車止め本体には、前面部16および後面部18がそれぞれ垂直に設けられており、上面部20が水平に設けられている。さらに、車止め本体には、傾斜した一対の中間面部22が設けられているとともに、ほぼ水平状の底面部23が設けられている。この水平状の底面部には、直線で構成された凹部24が複数形成されている。これら直線で構成された凹部は、一対の端面部26間に、前記前面部から後面部に亘って形成されている。車止め本体は、コンクリートで形成されている。また、この車止め本体には、前記上面部から底面部に亘って２本の固定孔28が前記凹部から離間された位置に上下方向に貫通して形成されている。固定孔には、それぞれ固定用の円筒状の棒体30が地中にまで達するように挿通されている。そして、この車止め本体は、高さ約５インチ、最大幅約７．２５インチ、長さ約６０インチの寸法に形成されている。
【００２０】
また、車止め装置は、薄肉状の車止め本体カバー32を具備している。この薄肉状の車止め本体カバーは、塩化ビニルで押出し成形されており、車止め本体を覆うように配置されている。このカバーには、前面部34および後面部36のそれぞれが垂直に設けられ上面部38が水平に設けられるとともに、傾斜した一対の中間面部40が設けられている。さらに、カバーには、一対の端面部42およびほぼ水平状の底面開口部44が設けられている。前記前面部および後面部には、これらを貫通する複数の結合用スロット46が形成され、これら各結合用スロットは、前記凹部24に対応する位置にそれぞれ形成されている。カバーは、車止め本体を密接に被覆可能可能な形状および寸法に形成されている。また、カバーの肉厚は、上記面部すべてにおいて約０．１２５インチに形成されている。カバーの表面は、外表面および内表面ともに全面に薄くアクリル塗装が施されている。
【００２１】
また、車止め装置は、プラスチックにて幅寸法約０．５６インチに形成された複数のストラップ48を具備している。各ストラップは、上記スロットのうち一つの周囲に巻回されて前記凹部内に配置された長手方向の中間部54と、対応するスロットに挿通された長手方向の端部52とを有している。一方の端部52には、歯状面が形成され、他方の端部には、前記一方の端部52を係合するための歯付き係合支持部50が設けられている。この歯付き係合支持部50は、対応するスロットに当接した状態で配置されており、これによってカバーが車止め本体に当接支持されている。
【００２２】
さらに、車止め装置は、柔軟なプラスチック素材で形成された薄い広告シート58を具備している。このシートは内面60を有しており、この内面60には剥離可能な薄い帯状部材64にて覆われた接着剤62が設けられている。また、このシートは、外表面66を有しており、この外表面に広告標識部68が設けられている。シートの寸法は、長さが約５８インチで、高さが約３インチである。また、この広告シートは、前記剥離可能な帯状部材を剥離除去した後にカバーの少なくとも一方の傾斜した中間面部に接着可能に構成されている。この状態で、カバーを装着した車止め本体は、駐車場において車両を適切に位置決めするための車止めを構成するとともに、カバー上の標識部が車両の乗員等向けの広告となる。
【００２３】
本発明の別の実施の形態100が図９ないし図１４に開示されている。この実施の形態は、垂直な前面部106、垂直な後面部108、水平な上面部110およびこれらの間に位置する一対の傾斜した中間面部112を有する車止め本体104を具備している。また、この車止め本体は、略水平状の底面部114を有するとともに、複数の円筒状の開孔116が前記前面部および後面部に形成されている。さらに、この車止め本体は、一対の端面部118を有している。そして、この車止め本体は、主として剛性を有するプラスチックで形成されており、上面部から底面部まで３本の固定孔120が上下方向に貫通して形成され、上面部位置で拡開されて径大開口部122となっている。これら固定孔のそれぞれには、固定用の円筒形状の棒体124が地中にまで達するように挿通されており、棒体の上面が前記上面部と同一面状になるように配置されている。そして、この車止め本体は、高さ約４．００インチ、幅約６．００インチ、長さ約８０インチの寸法に形成されている。さらに、この車止め本体の底面部には、重量低減用凹部126が形成されている。
【００２４】
また、車止め装置は、塩化ビニルで押出し成形され、車止め本体を覆うように配置された薄肉状の車止め本体カバー130を具備している。このカバーには、前面部132および後面部134のそれぞれが垂直に設けられ上面部136が水平に設けられるとともに、傾斜した一対の中間面部138がこれらの間に設けられている。さらに、カバーには、一対の端面部140およびほぼ水平状の底面開口部142が設けられている。前記前面部および後面部には、これらを貫通する複数の結合用円形孔144が、車止め本体の前記円筒状の開孔に対応する位置にそれぞれ形成されている。また、前記各中間面部には、直線で構成された浅い凹部146が中間面部の大部分に亘って形成されている。さらに、前記各端面部には、正方形状の凹部148が形成されている。そして、カバーは、車止め本体を密接に被覆可能可能な形状および寸法に形成されている。また、カバーの肉厚は、上記面部すべてにおいて約０．１２５インチに形成されている。カバーの表面は、外表面および内表面ともに、全面に薄くアクリル塗装150が施されている。
【００２５】
また、本実施例の装置は、プラスチック製のねじ152を複数具備している。これらねじのそれぞれは、歯状面158が形成された長手方向の中間部154と、頭部160が設けられた長手方向の端部156とを有している。また、これらねじは、前記薄肉状のカバーの円形孔に挿通されて車止め本体の前記開孔内に固定されることにより、この薄肉状のカバーを車止め本体に結合するように構成されている。
【００２６】
さらに、本装置は、柔軟なプラスチック素材にて直線で構成された形状に形成された薄い第１の標識シート164を具備している。このシートは、剥離可能な帯状部材170にて覆われた接着剤168が設けられた内面166を有している。また、この第１の標識シートは、外表面172を有しており、この外表面上に標識部174が設けられている。そして、この第１の標識シートの寸法は、長さが約５８インチで、高さが約３インチである。さらに、この第１の標識シートは、前記剥離可能な帯状部材を剥離除去した後にカバーの少なくとも一方の傾斜した中間面部の前記浅い凹部内に接着可能に構成されている。この状態で、カバーを装着した車止め本体は、駐車場において車両を適切に位置決めするための車止めを構成するとともに、カバー上の標識部が車両の乗員等向けの広告となる。
【００２７】
さらに、本装置は、柔軟なプラスチック素材で正方形状に形成された薄い第２の標識シート180を具備している。このシートは、剥離可能な帯状部材186にて覆われた接着剤184が設けられた内面182を有している。また、この第２の標識シートは、外表面188を有しており、この外表面上に標識部190が設けられている。そして、このシートの寸法は、長さが約２インチで、高さが約２インチである。さらに、この第２の標識シートは、前記剥離可能な帯状部材を剥離除去した後にカバーの少なくとも一方の端面部の前記浅い凹部内に接着可能に構成されている。前記標識部には、例えば広告、警告あるいはバーコードなどを表示する。
【００２８】
本発明の使用や運用の態様は、上記の記述より明らかであると思われるので、これ以上ここでは述べない。
【００２９】
また、上記の記述に関し、本発明の各部において、大きさ、素材、形状、機能、並びに作用、組立、使用方法の様々なバリエーションを含む最適な寸法の相関関係は、当業者に自明かつ明白であろう。また、図面に図示された個所および本明細書の記述から派生したものもすべて本発明に包含されるものである。
【００３０】
したがって、前記の記述は、すべて本発明の原理の説明のために掲げたものである。さらに、当業者であれば前記構成に対して無数の改変を容易に加えることが可能であるので、上記に説明された構成や使用方法は、本発明を何ら拘束するものではなく、本発明の範囲において適宜変更を加えることができるものである。
【図面の簡単な説明】
【００３１】
【図１】本発明の原理により構成された車両止め広告装置の分解斜視図である。
【図２】図１に示すコンクリート製の車止め本体の上面図である。
【図３】図２に示す車止め本体の側面図である。
【図４】図２および図３に示す車止め本体の端面図である。
【図５】図１に示す車止め本体カバーの上面図である。
【図６】図５に示す車止め本体カバーの側面図である。
【図７】図５および図６に示す車止め本体カバーの端面図である。
【図８】ストラップおよび係合支持部の斜視図である。
【図９】本発明の別の実施の形態を示し、ねじを用いた実施の形態の斜視図である。
【図１０】本発明の別の実施の形態におけるねじの装着個所の分解端面図である。
【図１１】本発明の別の実施の形態の分解図で、車止め本体の上面への本体カバーの装着方法を示している。
【図１２】本発明の別の実施の形態の、図１１の１２−１２線で切った平面図である。
【図１３】図１１の１３−１３線で切った車止め本体の断面図である。
【図１４】図１１の１４−１４線で切った車止め本体カバーの断面図である。
【図１】
2006505727.tif 000003
【図２】
2006505727.tif 000004
【図３】
2006505727.tif 000005
【図４】
2006505727.tif 000006
【図５】
2006505727.tif 000007
【図６】
2006505727.tif 000008
【図７】
2006505727.tif 000009
【図８】
2006505727.tif 000010
【図９】
2006505727.tif 000011
【図１０】
2006505727.tif 000012
【図１１】
2006505727.tif 000013
【図１２】
2006505727.tif 000014
【図１３】
2006505727.tif 000015
【図１４】
2006505727.tif 000016
【手続補正書】
【提出日】平成17年3月18日(2005.3.18)
【手続補正１】
【補正対象書類名】特許請求の範囲
【補正対象項目名】全文
【補正方法】変更
【補正の内容】
【特許請求の範囲】
【請求項１】
駐車場において車両を位置決めするとともに標識を表示する車両止め標識表示装置であって、
車止め本体と、この車止め本体に嵌合されて取り付けられる車止め本体カバーとを具備し、
前記車止め本体は、略垂直状の前面部および後面部と、これら前面部および後面部間の上側に位置する上面部と、この上面部と前記前面部および後面部との間に位置する一対の傾斜した中間面部と、前記前面部および後面部のそれぞれに形成された開孔を有し前記上面部に対向して位置して地表面に設置される底面部とを備え、
前記車止め本体カバーは、略垂直状の前面部および後面部と、これら前面部および後面部間の上側に位置する略水平状の上面部と、この上面部と前記前面部および後面部との間に位置する一対の傾斜した中間面部と、前記上面部に対向して位置して地表面に設置される底面部と、前記前面部および後面部の前記車止め本体の前記開孔に対応した位置に貫通して設けられた結合孔と、前記中間面部に設けられた凹部と備え、
前記車止め本体カバーの結合孔に挿通されて前記車止め本体の前記開孔に固定されこの車止め本体カバーを前記車止め本体に固定する固定具と、
接着可能な内面と所定の標識を表示する標識部が設けられた外面とを有し、前記内面が前記車止め本体カバーの中間面部の凹部に接着される第１の標識シートとを具備した
ことを特徴とした車両止め標識表示装置。
【請求項２】
駐車場において車両を適切に位置決めするとともに標識を表示する車両止め標識表示装置であって、
車止め本体と、この車止め本体に嵌合されて取り付けられる車止め本体カバーとを具備し、
前記車止め本体は、前面部および後面部と、これら前面部および後面部間の上側に位置する上面部と、この上面部と前記前面部および後面部との間に位置する一対の傾斜した中間面部と、前記上面部に対向して位置して地表面に設置される底面部と、これら前面部、後面部、上面部、一対の中間面部および底面部それぞれの長手方向の端部に位置する一対の端面部とを備え、
前記車止め本体カバーは、前面部および後面部と、これら前面部および後面部間の上側に位置する上面部と、この上面部と前記前面部および後面部との間に位置する一対の傾斜した中間面部と、前記上面部に対向して位置し前記車止め本体に嵌合されて開口縁が地表面に対向して設置される底面開口部と、これら前面部、後面部、上面部および一対の中間面部それぞれの長手方向の端部に位置する一対の端面部とを備え、
前記車止め本体の上面部から底面部へと貫通してこの車止め本体を地表面に固定させる連結手段と、
前記車止め本体カバーの前面部、後面部、上面部、中間面部および端面部の少なくともいずれか一つ以上の表面に配置される内面、および所定の標識を表示する標識部が設けられた外面を備えた標識シートと、
前記車止め本体カバーを前記車止め本体に結合する結合手段とを具備した
ことを特徴とした車両止め標識表示装置。
【請求項３】
結合手段は、一端側が車止め本体カバーの前面部に固定され他端側が前記車止め本体カバーの後面部に固定された状態でこの車止め本体カバーの下側に挿通されて取り付けられたストラップである
ことを特徴とした請求項２記載の車両止め標識表示装置。
【請求項４】
車止め本体の底面部は、この車止め本体の前面部および後面部のそれぞれに向けて貫通した開孔を有しており、
車止め本体カバーは、この車止め本体カバーの前面部および後面部の前記車止め本体の開孔に対応した位置に貫通して設けられた結合孔を備え、
結合手段は、前記車止め本体カバーの結合孔に挿通されて前記車止め本体の開孔に固定されこの車止め本体カバーを前記車止め本体に固定する固定具を備えた
ことを特徴とした請求項２または３記載の車両止め標識表示装置。
【請求項５】
車止め本体カバーの前面部、後面部、上面部、中間面部および端面部の少なくともいずれか一つ以上の表面に凹部が設けられ、
この凹部に標識シートが配置されている
ことを特徴とした請求項２ないし４いずれか記載の車両止め標識表示装置。
【請求項６】
車止め本体カバーの結合孔は、結合用スロットで、
固定具は、前記車止め本体カバーの結合用スロットに挿通され長手方向の中間部と、この中間部の長手方向の端部とを有するストラップ、およびこれらストラップの両端部を前記結合用スロットに係止させた状態でこのストラップを固定して前記車止め本体カバーを前記車止め本体に支持させる係合支持部を備えた
ことを特徴とした請求項１、４および５いずれか記載の車両止め標識表示装置。
【請求項７】
車止め本体は、コンクリート製である
ことを特徴とした請求項１ないし６いずれか記載の車両止め標識表示装置。
【請求項８】
車止め本体は、剛性を有する高分子材料にて形成された
ことを特徴とした請求項１ないし７いずれか記載の車両止め標識表示装置。
【請求項９】
車止め本体カバーは、高分子材料にて形成された
ことを特徴とした請求項１ないし８いずれか記載の車両止め標識表示装置。
【請求項１０】
車止め本体カバーは、少なくとも外面がアクリル塗装されている
ことを特徴とした請求項１ないし９いずれか記載の車両止め標識表示装置。
【請求項１１】
固定具は、高分子材料にて形成された
ことを特徴とした請求項１および４ないし１０いずれか記載の車両止め標識表示装置。
【請求項１２】
第１の標識シートは、柔軟性を有する高分子材料にて形成された
ことを特徴とした請求項１ないし１１いずれか記載の車両止め標識表示装置。
【請求項１３】
車止め本体カバーの端面部に凹部が設けられ、
この凹部には、接着可能な内面と所定の標識を表示する標識部が設けられた外面とを有する第２の標識シートの内面が接着される
ことを特徴とした請求項１および６ないし１２いずれか記載の車両止め標識表示装置。
【請求項１４】
第２の標識シートは、柔軟性を有する高分子材料にて形成された
ことを特徴とした請求項１３記載の車両止め標識表示装置。
【請求項１５】
ストラップは、高分子材料にて形成された
ことを特徴とした請求項３または６記載の車両止め標識表示装置。
【請求項１６】
標識シートは、高分子材料にて形成された
ことを特徴とした請求項２ないし１１いずれか記載の車両止め標識表示装置。
【手続補正２】
【補正対象書類名】明細書
【補正対象項目名】全文
【補正方法】変更
【補正の内容】
【発明の詳細な説明】
【技術分野】
【０００１】
本発明は、駐車場において車両を適切に位置決めするとともに標識を表示する車両止め標識表示装置に関する。
【背景技術】
【０００２】
従来の技術において、既知の構成による車両止め標識表示装置の使用はすでに知られている。すなわち、従来の方法や装置を用いて広告用として使用された既知のデザインや構成の車両止め広告装置は、多用な目的や要求を満たすために開発された様々な幾多の従来技術による膨大な数のデザイン以外のもの構成について、基本的によく知られている。
【発明の開示】
【発明が解決しようとする課題】
【０００３】
この点において、本発明による車両止め広告装置は、従来の技術と大きく異なり、これにより駐車場において車両を適切に位置決めするとともに標識を表示するものである。
【０００４】
本発明は、このような点に鑑みなされたもので、駐車場において車両を位置決めするとともに広告を提供できる車両止め標識表示装置を提供することを目的とする。
【課題を解決するための手段】
【０００５】
請求項１記載の車両止め標識表示装置は、駐車場において車両を位置決めするとともに標識を表示する車両止め標識表示装置であって、車止め本体と、この車止め本体に嵌合されて取り付けられる車止め本体カバーとを具備し、前記車止め本体は、略垂直状の前面部および後面部と、これら前面部および後面部間の上側に位置する上面部と、この上面部と前記前面部および後面部との間に位置する一対の傾斜した中間面部と、前記前面部および後面部のそれぞれに形成された開孔を有し前記上面部に対向して位置して地表面に設置される底面部とを備え、前記車止め本体カバーは、略垂直状の前面部および後面部と、これら前面部および後面部間の上側に位置する略水平状の上面部と、この上面部と前記前面部および後面部との間に位置する一対の傾斜した中間面部と、前記上面部に対向して位置して地表面に設置される底面部と、前記前面部および後面部の前記車止め本体の前記開孔に対応した位置に貫通して設けられた結合孔と、前記中間面部に設けられた凹部と備え、前記車止め本体カバーの結合孔に挿通されて前記車止め本体の前記開孔に固定されこの車止め本体カバーを前記車止め本体に固定する固定具と、接着可能な内面と所定の標識を表示する標識部が設けられた外面とを有し、前記内面が前記車止め本体カバーの中間面部の凹部に接着される第１の標識シートとを具備したものである。
【０００６】
請求項２記載の車両止め広告装置は、駐車場において車両を適切に位置決めするとともに標識を表示する車両止め標識表示装置であって、車止め本体と、この車止め本体に嵌合されて取り付けられる車止め本体カバーとを具備し、前記車止め本体は、前面部および後面部と、これら前面部および後面部間の上側に位置する上面部と、この上面部と前記前面部および後面部との間に位置する一対の傾斜した中間面部と、前記上面部に対向して位置して地表面に設置される底面部と、これら前面部、後面部、上面部、一対の中間面部および底面部それぞれの長手方向の端部に位置する一対の端面部とを備え、前記車止め本体カバーは、前面部および後面部と、これら前面部および後面部間の上側に位置する上面部と、この上面部と前記前面部および後面部との間に位置する一対の傾斜した中間面部と、前記上面部に対向して位置し前記車止め本体に嵌合されて開口縁が地表面に対向して設置される底面開口部と、これら前面部、後面部、上面部および一対の中間面部それぞれの長手方向の端部に位置する一対の端面部とを備え、前記車止め本体の上面部から底面部へと貫通してこの車止め本体を地表面に固定させる連結手段と、前記車止め本体カバーの前面部、後面部、上面部、中間面部および端面部の少なくともいずれか一つ以上の表面に配置される内面、および所定の標識を表示する標識部が設けられた外面を備えた標識シートと、前記車止め本体カバーを前記車止め本体に結合する結合手段とを具備したものである。
【０００７】
請求項３記載の車両止め標識表示装置は、請求項２記載の車両止め広告装置において、結合手段は、一端側が車止め本体カバーの前面部に固定され他端側が前記車止め本体カバーの後面部に固定された状態でこの車止め本体カバーの下側に挿通されて取り付けられたストラップであるものである。
【０００８】
請求項４記載の車両止め標識表示装置は、請求項２または３記載の車両止め標識表示装置において、車止め本体の底面部は、この車止め本体の前面部および後面部のそれぞれに向けて貫通した開孔を有しており、車止め本体カバーは、この車止め本体カバーの前面部および後面部の前記車止め本体の開孔に対応した位置に貫通して設けられた結合孔を備え、結合手段は、前記車止め本体カバーの結合孔に挿通されて前記車止め本体の開孔に固定されこの車止め本体カバーを前記車止め本体に固定する固定具を備えたものである。
【０００９】
請求項５記載の車両止め広告装置は、請求項２ないし４いずれか記載の車両止め広告装置において、車止め本体カバーの前面部、後面部、上面部、中間面部および端面部の少なくともいずれか一つ以上の表面に凹部が設けられ、この凹部に広告シートが配置されているものである。
【００１０】
請求項６記載の車両止め標識表示装置は、請求項１、４および５いずれか記載の車両止め標識表示装置において、車止め本体カバーの結合孔は、結合用スロットで、固定具は、前記車止め本体カバーの結合用スロットに挿通され長手方向の中間部と、この中間部の長手方向の端部とを有するストラップ、およびこれらストラップの両端部を前記結合用スロットに係止させた状態でこのストラップを固定して前記車止め本体カバーを前記車止め本体に支持させる係合支持部を備えたものである。
【００１１】
請求項７記載の車両止め標識表示装置は、請求項１ないし６いずれか記載の車両止め標識表示装置において、車止め本体は、コンクリート製であるものである。
【００１２】
請求項８記載の車両止め標識表示装置は、請求項１ないし７いずれか記載の車両止め標識表示装置において、車止め本体は、剛性を有する高分子材料にて形成されたものである。
【００１３】
請求項９記載の車両止め標識表示装置は、請求項１ないし８いずれか記載の車両止め標識表示装置において、車止め本体カバーは、高分子材料にて形成されたものである。
【００１４】
請求項１０記載の車両止め標識表示装置は、請求項１ないし９いずれか記載の車両止め標識表示装置において、車止め本体カバーは、少なくとも外面がアクリル塗装されているものである。
【００１５】
請求項１１記載の車両止め標識表示装置は、請求項１および４ないし１０いずれか記載の車両止め標識表示装置において、固定具は、高分子材料にて形成されたものである。
【００１６】
請求項１２記載の車両止め標識表示装置は、請求項１ないし１１いずれか記載の車両止め標識表示装置において、第１の標識シートは、柔軟性を有する高分子材料にて形成されたものである。
【００１７】
請求項１３記載の車両止め標識表示装置は、請求項１および６ないし１２いずれか記載の車両止め標識表示装置において、車止め本体カバーの端面部に凹部が設けられ、この凹部には、接着可能な内面と所定の標識を表示する標識部が設けられた外面とを有する第２の標識シートの内面が接着されるものである。
【００１８】
請求項１４記載の車両止め標識表示装置は、請求項１３記載の車両止め標識表示装置において、第２の標識シートは、柔軟性を有する高分子材料にて形成されたものである。
【００１９】
請求項１５記載の車両止め標識表示装置は、請求項３または６記載の車両止め標識表示装置において、ストラップは、高分子材料にて形成されたものである。
【００２０】
請求項１６記載の車両止め標識表示装置は、請求項２ないし１１いずれか記載の車両止め標識表示装置において、標識シートは、高分子材料にて形成されたものである。
【発明の効果】
【００２１】
請求項１記載の車両止め標識表示装置によれば、車止め本体に車止め本体カバーを嵌合させて取り付けるとともに、この車止め本体カバーの結合孔に固定具を挿通させて車止め本体の開孔に固定して、この車止め本体カバーを車止め本体に固定させてから、第１の標識シートの内面を、車止め本体の傾斜面部に設けられた凹部に接着させることにより、駐車場において車両を適切に位置決めできるとともに、車止め本体カバーの中間面部に接着した第１の標識シートを車両の乗員等向けの標識にできる。
【００２２】
請求項２記載の車両止め標識表示装置によれば、車止め本体の上面部から底面部へと棒体を貫通させて、この車止め本体を地表面に固定させてから、この車止め本体に車止め本体カバーの底面開口部を嵌合させて取り付けて、この底面開口部の開口縁を地表面に対向させて設置させるとともに、この車止めカバーを結合手段にて車止め本体に結合させた後、標識シートの内面を車止め本体カバーの前面部、後面部、上面部、中間面部および端面部の少なくともいずれか一つ以上の表面に設置することにより、駐車場において車両を適切に位置決めできるとともに、車止め本体カバーに配置した標識シートを車両の乗員等向けの標識にできる。
【００２３】
請求項３記載の車両止め標識表示装置によれば、請求項２記載の車両止め標識表示装置の効果に加え、ストラップの一端側を車止め本体カバーの前面部に固定し、このストラップの他端側を車止め本体カバーの後面部に固定した状態で、この車止め本体カバーの下側にストラップを挿通させて、この車止め本体カバーを車止め本体に結合させることにより、駐車場において車両を適切に位置決めできる。
【００２４】
請求項４記載の車両止め標識表示装置によれば、請求項２または３記載の車両止め標識表示装置の効果に加え、車止め本体カバーの結合孔に固定具を挿通させて車止め本体の開孔に固定して、この車止め本体カバーを車止め本体に固定させることにより、駐車場において車両を適切に位置決めできる。
【００２５】
請求項５記載の車両止め標識表示装置によれば、請求項２ないし４いずれか記載の車両止め標識表示装置の効果に加え、車止め本体カバーの前面部、後面部、上面部、中間面部および端面部の少なくともいずれか一つ以上の表面に設けた凹部に、標識シートを配置させることにより、この標識シートを車両の乗員等向けの標識にできる。
【００２６】
請求項６記載の車両止め標識表示装置によれば、請求項１、４および５いずれか記載の車両止め標識表示装置の効果に加え、車止め本体カバーの結合用スロットにストラップの中間部を挿通させ、このストラップの両端部を結合用スロットに係止させた状態で、このストラップを係合支持部にて固定して車止め本体カバーを車止め本体に支持させることにより、駐車場において車両を適切に位置決めできる。
【００２７】
請求項７記載の車両止め標識表示装置によれば、請求項１ないし６いずれか記載の車両止め標識表示装置の効果に加え、車止め本体がコンクリート製であるので、素材および作業において製造コストを低減できる。
【００２８】
請求項８記載の車両止め標識表示装置によれば、請求項１ないし７いずれか記載の車両止め標識表示装置の効果に加え、車止め本体が剛性を有する高分子材料にて形成されているので、素材および作業において製造コストを低減できる。
【００２９】
請求項９記載の車両止め標識表示装置によれば、請求項１ないし８いずれか記載の車両止め標識表示装置の効果に加え、車止め本体カバーが高分子材料にて形成されているので、素材および作業において製造コストを低減できる。
【００３０】
請求項１０記載の車両止め標識表示装置の効果によれば、請求項１ないし９いずれか記載の車両止め標識表示装置の効果に加え、車止め本体カバーの少なくとも外面がアクリル塗装されているので、耐久性および信頼性に優れている。
【００３１】
請求項１１記載の車両止め標識表示装置の効果によれば、請求項１および４ないし１０いずれか記載の車両止め標識表示装置の効果に加え、固定具が高分子材料にて形成されているので、素材および作業において製造コストを低減できる。
【００３２】
請求項１２記載の車両止め標識表示装置の効果によれば、請求項１ないし１１いずれか記載の車両止め標識表示装置の効果に加え、第１の広告シートが柔軟性を有する高分子材料にて形成されているので、素材および作業において製造コストを低減できる。
【００３３】
請求項１３記載の車両止め標識表示装置の効果によれば、請求項１および６ないし１２いずれか記載の車両止め標識表示装置の効果に加え、車止め本体カバーの端面部に設けられた凹部に第２の標識シートの内面を接着させることにより、この第２の標識シートを車両の乗員等向けの標識にできる。
【００３４】
請求項１４記載の車両止め標識表示装置の効果によれば、請求項１３記載の車両止め標識表示装置の効果に加え、第２の広告シートが柔軟性を有する高分子材料にて形成されているので、素材および作業において製造コストを低減できる。
【００３５】
請求項１５記載の車両止め標識表示装置の効果によれば、請求項３または６記載の車両止め標識表示装置の効果に加え、ストラップが高分子材料にて形成されているので、素材および作業において製造コストを低減できる。
【００３６】
請求項１６記載の車両止め標識表示装置の効果によれば、請求項２ないし１１いずれか記載の車両止め標識表示装置の効果に加え、広告シートが高分子材料にて形成されているので、素材および作業において製造コストを低減できる。
【発明を実施するための最良の形態】
【００３７】
以下、図面、特に図１を参照して本発明の車両止め標識表示装置の望ましい第１の実施の形態を説明する。図面において、この車両止め標識表示装置としての車両止め広告装置は、全体として10で表されている。
【００３８】
そして、この車両止め広告装置10は、車止め装置であって、主として車止め本体14、薄肉状の車止め本体カバー32および広告シート58などで構成されている。
【００３９】
まず、車止め本体14が設けられている。この車止め本体14には、前面部16および後面部18がそれぞれ垂直状に設けられており、これら前面部16および後面部18間の上側に上面部20が水平状に位置して設けられている。さらに、この車止め本体14には、上面部20と前面部16および後面部18との間に位置する一対の傾斜した中間面部22が設けられているとともに、上面部20に対向して位置して地表面としての駐車面に設置される略水平状の底面部23が設けられている。この底面部23には、直線で構成された開孔としての凹部24が複数形成されている。これら凹部24は、前面部16、後面部18、上面部20、一対の中間面部22および底面部23それぞれの長手方向の両端部に位置する一対の端面部26間において前面部16から後面部18に亘って形成されている。すなわち、これら凹部24は、前面部16および後面部18のそれぞれに向けて貫通している。車止め本体14は、コンクリートで形成されたコンクリート製である。また、この車止め本体14には、上面部20から底面部23に亘って２本の固定孔28が凹部24から離間された位置に上下方向に貫通して形成されている。これら固定孔28には、それぞれ固定用の連結手段としての円筒状の棒体30が地中にまで達するように挿通されている。そして、車止め本体14は、高さ約１２ｃｍ(５インチ)、最大幅約１８．４ｃｍ(７．２５インチ)、長さ約１５２ｃｍ(６０インチ)の寸法に形成されている。なお、この車止め本体14の高さを、約１８．４ｃｍ(７．２５インチ)にすることもできる。
【００４０】
また、この車両止め広告装置10は、薄肉状の車止め本体カバー32を具備している。この車止め本体カバー32は、高分子材料としての塩化ビニルで押し出し成形されており、車止め本体14を覆うように、この車止め本体14に嵌合して取り付けられて配置されている。そして、この車止め本体カバー32には、前面部34および後面部36のそれぞれが垂直状に設けられ、これら前面部34および後面部36間の上側に上面部38が水平状に位置して設けられているとともに、この上面部38と前面部34および後面部36との間に一対の傾斜した中間面部40が位置して設けられている。さらに、この車止め本体カバー32には、前面部34、後面部36、上面部38、一対の中間面部40それぞれの長手方向の両端部に一対の端面部42が設けられているとともに、上面部38に対向した位置にはほぼ水平状の底面部としての底面開口部44が設けられている。この底面開口部44は、この底面開口部44の底縁部を駐車面に隣接可能に形成されている。前面部34および後面部36には、これらを貫通する複数の係合孔としての結合用スロット46が形成されている。これら各結合用スロット46は、凹部24に対応した位置のそれぞれに貫通して形成されている。車止め本体カバー32は、車止め本体14を密接に被覆可能な形状および寸法に形成されている。また、車止め本体カバー32の肉厚は、前面部34、後面部36、上面部38、中間面部40および端面部42のすべてにおいて約０．３１８ｃｍ(０．１２５インチ)に形成されている。さらに、この車止め本体カバー32の外表面および内表面のそれぞれの全面には、薄くアクリル塗装が施されている。
【００４１】
また、車両止め広告装置10は、高分子材料としてのプラスチックにて幅寸法約１．４２ｃｍ(０．５６インチ)に形成された固定具としての結合手段である複数のストラップ48を具備している。これら各ストラップ48は、結合用スロット46のうち一つの周囲に巻回されて凹部24内に配置された長手方向の中間部54と、対応する結合用スロット46に挿通された長手方向の端部52とを有している。ここで、このストラップ48は、一方の端部52が車止め本体カバー32の前面部34に固定され、他方の端部が車止め本体カバー32の後面部36に固定された状態で、この車止め本体カバー32の下側に挿通されて取り付けられている。さらに、一方の端部52には、凹凸状の歯状面が形成され、他方の端部には、一方の端部52を係合するための歯付き係合支持部50が設けられている。この歯付き係合支持部50は、対応する結合用スロット46に当接した状態で、ストラップ46の一方の端部52を係止させた状態で配置されており、このストラップ48を固定して車止め本体カバー32が車止め本体14に当接して支持されて固定されている。
【００４２】
さらに、車両止め広告装置10は、柔軟性を有する高分子材料である柔軟なプラスチック素材で形成された標識シートとしての薄い広告シート58を具備している。この広告シート58は内面60を有しており、この内面60には剥離可能な薄い帯状部材64にて覆われた接着剤62が設けられている。また、この広告シート58は、外面としての外表面66を有しており、この外表面66に所定の標識を表示する標識部としての広告標識部68が設けられている。この広告シート58の寸法は、長さが約１４７ｃｍ(５８インチ)で、高さが約７．６２ｃｍ(３インチ)である。また、この広告シート58は、帯状部材64を剥離除去した後に車止め本体カバー32の少なくとも一方の傾斜した中間面部40に接着可能に構成されている。この状態で、この車止め本体カバー32を装着した車止め本体14は、駐車場において車両を適切に位置決めするための車両用障壁としての車止めを構成するとともに、この車止め本体カバー32上の広告標識部68が車両の乗員等向けの広告となる。
【００４３】
この結果、上記第１の実施の形態の車両止め広告装置10は、容易かつ効率良く製造および販売できるとともに、耐久性および信頼性に優れた構造である。また、素材および作業において製造コストを低減し、結果として低価格で市販できるので、一般消費者が廉価に入手可能な車両止め広告装置10にできる。さらに、駐車場において車両を確実に適切な位置に位置決めするとともに広告を提供できる車両止め広告装置10にできる。
【００４４】
本発明の第２の実施の形態の車両止め標識表示装置としての車両止め広告装置100が図９ないし図１４に記載されている。
【００４５】
この第２の実施の形態の車両止め広告装置100は、垂直な前面部106、垂直な後面部108、水平な上面部110およびこれらの間に位置する一対の傾斜した中間面部112を有する車止め本体104を具備している。また、この車止め本体104は、略水平状の底面部114を有するとともに、複数の円筒状の開孔116が前面部106および後面部108のそれぞれに形成されている。さらに、この車止め本体104は、一対の端面部118を有している。そして、この車止め本体104は、主として剛性を有する高分子材料としてのプラスチックで形成されており、上面部110から底面部114までに亘って３本の固定孔120が上下方向に貫通して形成され、上面部110位置で拡開されて径大開口部122となっている。これら固定孔120のそれぞれには、固定用の円筒形状の連結手段としての棒体124が地中にまで達するように挿通されており、この棒体124の上面が上面部110と同一面状になるように配置されている。そして、車止め本体104は、高さ約１０．２ｃｍ(４．００インチ)、幅約１５．２ｃｍ(６．００インチ)、長さ約２０３ｃｍ(８０インチ)の寸法に形成されている。さらに、この車止め本体104の底面部114には、重量低減用凹部126が形成されている。
【００４６】
また、車両止め広告装置100は、塩化ビニルで押し出し成形され、車止め本体104を覆うように配置された薄肉状の車止め本体カバー130を具備している。この車止め本体カバー130には、前面部132および後面部134のそれぞれが垂直に設けられ上面部136が水平に設けられるとともに、傾斜した一対の中間面部138がこれら前面部132および後面部134と上面部136との間に設けられている。さらに、この車止め本体カバー130には、一対の端面部140およびほぼ水平状の底面部としての底面開口部142が設けられている。前面部132および後面部134には、これらを貫通する複数の結合用円形孔144が、車止め本体104の開孔116に対応する位置にそれぞれ形成されている。また、各中間面部138には、直線で構成された浅い凹部146が中間面部138の大部分に亘って形成されている。さらに、各端面部118には、正方形状の浅い凹部148が形成されている。そして、車止め本体カバー130は、車止め本体104を密接に被覆可能な形状および寸法に形成されている。また、車止め本体カバー130の肉厚は、前面部132、後面部134、上面部136、中間面部138および端面部140のすべてにおいて約０．３１８ｃｍ(０．１２５インチ)に形成されている。さらに、この車止め本体カバー130の外表面および内表面のそれぞれの全面には、薄くアクリル塗装150が施されている。
【００４７】
また、車両止め広告装置100は、結合手段としてのプラスチック製のねじ152を複数具備している。これらねじ152のそれぞれは、歯状面158が形成された長手方向の中間部154と、頭部160が設けられた長手方向の端部156とを有している。また、これらねじ152は、車止め本体カバー130の結合用円形孔144に挿通されて車止め本体104の開孔116内に固定されることにより、この車止め本体カバー130を車止め本体104に結合するように構成されている。
【００４８】
さらに、車両止め広告装置100は、柔軟性を有する高分子材料である柔軟なプラスチック素材にて直線で構成された形状に形成された薄い第１の標識シート164を具備している。この第１の標識シート164は、剥離可能な帯状部材170にて覆われた接着剤168が設けられた内面166を有している。また、この第１の標識シート164は、外表面172を有しており、この外表面172上に所定の標識を表示する標識部174が設けられている。そして、この第１の標識シート164の寸法は、長さが約１４７ｃｍ(５８インチ)で、高さが約７．６２ｃｍ(３インチ)である。さらに、この第１の標識シート164は、帯状部材170を剥離除去した後に車止め本体カバー130の少なくとも一方の傾斜した中間面部138の浅い凹部146内に接着可能に構成されている。この状態で、この車止め本体カバー130を装着した車止め本体104は、駐車場において車両を適切に位置決めするための車両用障壁としての車止めを構成するとともに、この車止め本体カバー130上の標識部174が車両の乗員等向けの広告となる。
【００４９】
さらに、車両止め広告装置100は、柔軟性を有する高分子材料である柔軟なプラスチック素材で正方形状に形成された薄い第２の標識シート180を具備している。この第２の標識シート180は、剥離可能な帯状部材186にて覆われた接着剤184が設けられた内面182を有している。また、この第２の標識シート180は、外表面188を有しており、この外表面188上に標識部190が設けられている。そして、この第２の標識シート180の寸法は、長さが約５．０８ｃｍ(２インチ)で、高さが約５．０８ｃｍ(２インチ)である。さらに、この第２の標識シート180は、帯状部材186を剥離除去した後に車止め本体カバー130の少なくとも一方の端面部140の浅い凹部146内に接着可能に構成されている。標識部190には、例えば広告、警告あるいはバーコードなどを表示する。
【図面の簡単な説明】
【００５０】
【図１】本発明の第１の実施の形態の車両止め標識表示装置を示す分解斜視図である。
【図２】同上車両止め標識表示装置の車止め本体を示す平面図である。
【図３】同上車両止め標識表示装置の車止め本体を示す正面図である。
【図４】同上車両止め標識表示装置の車止め本体を示す側面図である。
【図５】同上車両止め標識表示装置の車止め本体カバーを示す平面図である。
【図６】同上車両止め標識表示装置の車止め本体カバーを示す正面図である。
【図７】同上車両止め標識表示装置の車止め本体カバーを示す側面図である。
【図８】同上車両止め標識表示装置のストラップおよび係合支持部を示す斜視図である。
【図９】本発明の第２の実施の形態の車両止め標識表示装置を示す斜視図である。
【図１０】同上車両止め標識表示装置を示す分解側面図である。
【図１１】同上車両止め標識表示装置を示す分解正面図である。
【図１２】同上車両止め標識表示装置の図１１中の１２−１２線での平面図である。
【図１３】同上車両止め標識表示装置の図１１中の１３−１３線での車止め本体を示す断面図である。
【図１４】同上車両止め標識表示装置の図１１中の１４−１４線での車止め本体カバーを示す断面図である。
【符号の説明】
【００５１】
10,100 車両止め標識表示装置としての車両止め広告装置
14,104 車止め本体
16,106 前面部
18,108 後面部
20,110 上面部
22,112 中間面部
23,114 底面部
24 開孔としての凹部
26,118 端面部
30,124 連結手段としての棒体
32,130 車止め本体カバー
34,132 前面部
36,134 後面部
38,136 上面部
40,138 中間面部
42,140 端面部
44,142 底面部としての底面開口部
46 結合孔としての結合用スロット
48 固定具としての結合手段であるストラップ
50 係合支持部としての歯付き係合支持部
52 端部
54 中間部
58 標識シートとしての広告シート
68 標識部としての広告標識部
116 開孔
146,148 凹部としての浅い凹部
150 アクリル塗装
152 結合手段としてのねじ
164 第１の標識シート
174,190 標識部
180 第２の標識シート
【国際調査報告】
2006505727.tif 000017